(57)【特許請求の範囲】
【請求項１】
優位眼情報を反映した左右一対の眼鏡用レンズの設計方法であって、
所定の非点収差と像面湾曲を持つ優位眼情報を反映しない左右のレンズの設計に対して、装用者の左右いずれか優位眼側となるレンズについて非点収差を少なくし像面湾曲を多くするように設計することを特徴とする眼鏡用レンズの設計方法。
【請求項２】
前記優位眼情報を反映しない左右のレンズの設計においては非点隔差が像面湾曲よりも大きく発現していることを特徴とする請求項１に記載の眼鏡用レンズの設計方法。
【請求項３】
優位眼情報を反映した左右一対の眼鏡用レンズの設計方法であって、
所定の非点収差と像面湾曲を持つ優位眼情報を反映しない左右のレンズの設計に対して、装用者の左右いずれか非優位眼側となるレンズについて非点収差を多くし像面湾曲を少なくするように設計することを特徴とする眼鏡用レンズの設計方法。
【請求項４】
前記優位眼情報を反映しない左右のレンズの設計においては像面湾曲が非点隔差よりも大きく発現していることを特徴とする請求項３に記載の眼鏡用レンズの設計方法。
【請求項５】
優位眼情報を反映した左右一対の眼鏡用レンズの設計方法であって、
所定の非点収差と像面湾曲を持つ左右レンズの優位眼情報を反映しない設計に対して、装用者の左右いずれか優位眼を考慮してレンズを修正設計する場合に、マイナス度数のレンズについては下記（１）（３）（４）の式を、プラスレンズについては（２）（３）（４）の式を満たすように非点収差と像面湾曲の収差を設定することを特徴とする眼鏡用レンズの設計方法。
【数１】
0006458262.tif 000014
【請求項６】
前記優位眼情報を反映しない左右のレンズの設計に対して左右いずれか片方のレンズのみに設計を行うことを特徴とする請求項１〜５のいずれかに記載の眼鏡用レンズの設計方法。
【請求項７】
請求項１〜６のいずれかの眼鏡用レンズの設計方法はレンズ面要素の設計データに非球面要素の設計データを含ませて設計を行うようにしたことを特徴とする眼鏡用レンズの設計方法。
【請求項８】
請求項１〜７のいずれかの眼鏡用レンズを設計するための設計データは累進屈折力レンズを設計するための累進面設計データを含んでいることを特徴とする眼鏡用レンズの設計方法。
【請求項９】
請求項１〜８のいずれかの眼鏡用レンズの設計方法によって取得した設計データに基づいてレンズ面を加工して眼鏡用レンズを製造することを特徴とする眼鏡用レンズの製造方法。
【発明の詳細な説明】
【技術分野】
【０００１】
本発明は眼鏡用レンズの設計方法及び製造方法に関するものである。
【背景技術】
【０００２】
人間の視覚情報は左右２つの眼球の網膜にそれぞれ入力され、脳で１つに統合されている。また、人間は左右いずれかの手に利き手があるように、左右いずれかの眼に優位眼（又は「利目」）があることが知られており、一般に左右２つの眼球に入力された情報が１つに統合される際にはその優位眼の情報が重要であると考えられている。
例えば、眼鏡レンズのレンズ度数決定では、左右の度数を最終的に決定する際に、優位眼の情報を考慮して優位眼をやや見やすくする処方がされることがある。つまり、眼鏡レンズを通して見る見え方を向上させるためには、優位眼の情報を眼鏡レンズ設計に反映させる眼鏡レンズを設計することが有効であろうと考えられている。
このような優位眼を考慮した設計に関する従来技術として、特許文献１を示す。特許文献１は、左右一対の眼鏡レンズについて度数を含む処方が左右で所定以上（例えば１．０Ｄ以上）の差がある場合、優位眼（利目）の情報に基づいて左右レンズの第一面及び第二面のカーブを変更することが開示されている。
【先行技術文献】
【特許文献】
【０００３】
【特許文献１】特許第４７２６７９１号公報
【発明の概要】
【発明が解決しようとする課題】
【０００４】
しかしながら、上記特許文献１は、優位眼の情報によりカーブを変更するという手法であるため、その発明は左右眼の度数が所定以上（例えば１Ｄ）の場合でのみ、すなわち左右レンズのベースカーブが異なるときのみ適用可能であり、一般性に乏しいという問題がある。また上記特許文献１では、非点収差、像面湾曲、歪曲のいずれか１つについて、左右レンズで性能が許容範囲内に入ることが良いとされているが、２つ以上の収差をどのようにバランスをとるかについては開示されていない。特に非点収差と像面湾曲は、どちらかを減らすとどちらかが増えるというトレードオフの関係にあるため、優位眼を考慮してどちらかの収差を制御しただけでは、もう一方の収差が予想外に悪化する可能性を排除できず、優位眼を考慮しない場合よりもかえって見え方が悪くなってしまうという可能性が生じる。
【０００５】
ここで、眼鏡レンズの成り立ち（形状）について考える。眼鏡レンズは、表面と裏面の２面がある一定距離（レンズの厚さ）だけ離れて位置している。表面と裏面のそれぞれの面は、一般的にベースとなる球面カーブの形状に対して、非球面要素（非球面サグ）と累進面要素（累進サグ）が合成された構成になっている。球面レンズとは、表面、裏面ともに非球面要素と累進面要素がともに０の状態である。非球面要素とは一般的に比較的簡単な式（非球面設計式等）により構成されるもので、非球面係数等を決定することで面形状を制御することができるものである。累進面要素とは一般的に、累進屈折力レンズの面形成等で利用されており、スプライン補間等を用いて自由曲面を構成するものである。ここで、優位眼の情報を考慮してどのように非球面要素および、または累進面要素を設計するかということは従来技術では明らかになっていない。上記特許文献１は、ベースとなる球面カーブに関するものである。一般的に、レンズ設計においては、レンズ上のある一点の光学収差をある目標値になるようなレンズ形状を算出することが行われるが、累進面要素の設計は非球面要素の設計よりも自由度が高いが、その分計算コストも遥かに高くなる。特に、個別事例に対して微妙な見え方の調整等をレンズメーカーにて眼鏡用レンズの受注後に設計する場合などでは、非球面要素を設計することが産業上計算コストを削減する観点から好ましいが、どのように優位眼の情報を考慮するのかについて明らかになっていない。
本発明は、このような従来の技術に存在する問題点に着目してなされたものである。その目的は、優位眼を考慮して眼鏡レンズの設計をする場合において非点収差と像面湾曲の収差バランスを、優位眼の情報も考慮して改善することで両眼で目視した際に好適な視界を得ることができる眼鏡用レンズの設計方法及び加工方法を提供することである。
【課題を解決するための手段】
【０００６】
上記課題を解決するために第１の手段として、優位眼情報を反映した左右一対の眼鏡用レンズの設計方法であって、装用者の左右いずれか優位眼側となるレンズについて装用者の左右いずれか非優位眼側となるレンズよりも非点収差を少なくするように設計するようにした。
このような構成とすると、例え非点収差とトレードオフの関係となる像面湾曲が優位眼側で多くなっても、両眼で目視した際に好適な視界を得ることができる眼鏡用レンズを製造することが可能となる。ここで、前記「非点収差を少なくする」とは非点収差の絶対値を減少させることであり、単純に非点収差の数値が小さく、すなわち、負になるということではない。前記優位眼情報とは、装用者の優位眼に関する情報であり、優位眼が右目であるか、左目であるか、眼優位性がなく右目と左目が等しいか等の情報である。また、眼優位性には、装用者により左右眼で眼優位性が大きい人とそれほど大きくない人が存在すること、すなわち、眼優位性には強弱があることが知られており、前記優位眼情報には、眼優位性の強弱に関する情報も含まれることが好ましい。例えば、ある装用者では優位眼は右目であるが、右目７０％、左目３０％で認識されるなどの情報である。
また、第２の手段として第１の手段に加え、前記優位眼側及び非優位眼側となる非球面レンズの像面湾曲をいずれか一方がいずれか他方よりも悪くなるように設計するようにした。
このような構成とすると、非点収差とトレードオフの関係となる像面湾曲を両眼共に悪くする（つまり、両眼ともに非点収差を良くする）ということがなく、両眼で目視した際に好適な視界を得ることができる眼鏡用レンズを製造することが可能となる。
【０００７】
また、第３の手段として、優位眼情報を反映した左右一対の眼鏡用レンズの設計方法であって、所定の非点収差と像面湾曲を持つ優位眼情報を反映しない左右のレンズの設計に対して、装用者の左右いずれか優位眼側となるレンズについて非点収差を少なくし像面湾曲を多くするように設計するようにした。
このような構成とすると、例え非点収差とトレードオフの関係となる像面湾曲が優位眼側で多くなっても、両眼で目視した際に優位眼情報を反映しない左右のレンズの設計と比べて好適な視界を得ることができる眼鏡用レンズを製造することが可能となる。ここに「優位眼情報を反映しない左右のレンズの設計」とは優位眼情報を反映する前のベースとなる設計、もしくは、左右眼の眼優位性に差がない場合の設計であって、左右のレンズ度数や収差はユーザーの処方に従い同じであっても異なっていてもよい。左右眼の眼優位性に差がない場合の設計は、優位眼情報を反映する前のベースとなる設計と同じであることが好ましい。ここで、「非点収差を少なくし、像面湾曲を多くする」とは非点収差の絶対値を減少させ、像面湾曲の絶対値を増加させることである。以下請求項の収差の多い、少ないに関する記述も同様とする。
また、第４の手段として第３の手段に加え、前記優位眼情報を反映しない左右のレンズの設計においては非点隔差が像面湾曲よりも大きく発現しているようにした。
つまり、優位眼情報を反映しない左右のレンズの設計はトレードオフの関係となる非点隔差と像面湾曲では像面湾曲を軽減した設計としている。そのため、このような優位眼情報を反映しない設計では非点隔差に由来した収差（ぼけ）が強くなるが、優位眼側となるレンズについて非点隔差を少なくし像面湾曲を多くするように設計することで全体としてぼけ具合が改善されることとなる。ここで、「非点隔差が像面湾曲よりも大きく発現」とは非点隔差の絶対値が像面湾曲の絶対値よりも大きいことである。また、非点隔差とはレンズに入射した主光線の周りのメリディオナル方向の光線の結像状態（メリディオナル度数）とサジタル方向の光線の結像状態（サジタル度数）の差であり、非点収差は非点隔差の半分の数値となるものである。
尚、具体的なレンズを加工する際に各レンズごとに前もってベース設計をする必要があるわけではない。一旦ベース設計に基づいて修正したデータを取得し、以後はそのデータに従って加工をするのであれば個々のレンズはベース設計に対して改善した設計をしていると解釈できる。
【０００８】
また、第５の手段として、優位眼情報を反映した左右一対の眼鏡用レンズの設計方法であって、
所定の非点収差と像面湾曲を持つ優位眼情報を反映しない左右レンズの設計に対して、装用者の左右いずれか非優位眼側となるレンズについて非点収差を多くし像面湾曲を少なくするように設計するように設計するようにした。
このような構成とすると、例え像面湾曲とトレードオフの関係となる非点収差が優位眼側で多くなっても、両眼で目視した際に優位眼情報を反映しない設計と比べて好適な視界を得ることができる眼鏡用レンズを製造することが可能となる。
また、第６の手段として第５の手段に加え、前記優位眼情報を反映しない左右のレンズの設計においては像面湾曲が非点隔差よりも大きく発現しているようにした。
つまり、優位眼情報を反映しない設計ではトレードオフの関係となる非点隔差と像面湾曲では非点隔差を軽減した設計としている。そのため、このような優位眼情報を反映しない設計では像面湾曲に由来した収差（ぼけ）が強くなるが、非優位眼となるレンズについて像面湾曲を少なくし非点隔差を多くするように設計することで全体としてぼけ具合が改善されることとなる。ここで、「像面湾曲が非点隔差よりも大きく発現」とは像面湾曲の絶対値が非点隔差の絶対値よりも大きいことである。
【０００９】
また、第７の手段として、優位眼情報を反映した左右一対の眼鏡用レンズの設計方法であって、所定の非点収差と像面湾曲を持つ左右レンズの優位眼情報を反映しない設計に対して装用者の左右いずれか優位眼を考慮してレンズを修正設計する場合に、マイナス度数のレンズについては下記（１）（３）（４）の式を、プラスレンズについては（２）（３）（４）の式を満たすように非点収差と像面湾曲の収差を設定することがよい。
【００１０】
【数１】
0006458262.tif 000002
【００１１】
第７の手段のように構成すると、優位眼情報を反映しない設計に対して修正設計する場合にはマイナス度数のレンズならば（１）（３）（４）の式に収まるように、プラス度数のレンズならば（２）（３）（４）の式に収まるように設計することで、優位眼を考慮した好適な視界を得ることができる眼鏡用レンズを製造することが可能となる。
このようにマイナス度数のレンズとプラス度数のレンズで不等号の向きが異なるのは、マイナス度数のレンズとプラス度数のレンズでは非点収差と像面湾曲の収差の発生する傾向が異なるためである。例えば、非点収差を０として設計した非球面レンズにおいて、マイナス度数では正の像面湾曲が発生するが、プラス度数では負の像面湾曲が発生する。
像面湾曲は非点収差とトレードオフの関係であるため、上記（１）と（２）の式は非点収差の観点から設定することも可能である。その場合、上記数１の（１）および（２）は、下記数２の（５）、（６）として設定することも可能である。尚、下記数２では非点収差で説明しているが、Ａ１、Ｂ１、Ｃ１、Ｄ１について非点収差の２倍の数値となる非点隔差を用いても同一の式で適用できる。
【００１２】
【数２】
0006458262.tif 000003
【００１３】
また、第８の手段として、第３〜第７の手段のいずれかに加え、前記優位眼情報を反映しない左右のレンズの設に対して左右いずれか片方のレンズのみに設計を行うようにした。
このようにすることで、ベースとなる設計の見え方を片目で維持したまま、優位眼情報を反映し、両目で好適な視界を得ることができる。また、片側のみベース設計に対して追加的な設計をすればよいため、設計作業が軽減されることとなる。
また、第９の手段として、請求項１〜８のいずれかの眼鏡用レンズの設計方法はレンズ面要素の設計データに非球面要素の設計データを含ませて設計を行うようにした。
このように非球面要素の設計を行うことでレンズ全面について容易に非点収差と像面湾曲の調整をすることが可能となる。ここにレンズ面要素の設計データとはレンズ面の３次元形状を規定するもので、例えばレンズの各位置におけるサグ値や曲率、曲率変化、曲率変化の向き等で構成されるものである。また、前記「レンズ面要素の設計データに非球面要素の設計データを含ませ」るとは、レンズ面要素の設計データが少なくてもベースとなる球面カーブの形状（球面要素）と非球面要素（非球面サグ）の設計データにより構成されていることである。
また、第１０の手段として、請求項１〜９のいずれかの眼鏡用レンズを設計するための設計データは累進屈折力レンズを設計するための累進面設計データを含んでいるようにした。このようにすることで累進面要素の設計データを含む設計データについて優位眼の情報を考慮して非点収差と像面湾曲のバランスをとることができるため、両眼で目視した際に好適な視界を得ることができる累進屈折力レンズを提供することができる。尚、累進面要素の設計データはベースとなる球面に非球面設計データが合成されたレンズ設計面に対して、合成されることが好ましい。
また、第１１の手段として第1〜第１０のいずれかの眼鏡用レンズの設計方法によって取得した設計データに基づいてレンズ面を加工して眼鏡用レンズを製造するようにした。
これによって具体的に優位眼の情報を反映した設計データに基づいてレンズ面を加工した眼鏡用レンズを製造することができる。
【００１４】
上記各手段においては次のような理論に基づいて優位眼側と非優位眼に対して非点収差と像面湾曲の設定条件を決定している。
まず、眼優位性について考える。
眼優位性とは、左右眼それぞれに入力された情報が脳で統合されるときに、等しく扱われるのではなく、眼優位性のある眼（優位眼）に入力された情報が「主」とする情報として脳で認識されるというものである。
一方、非点収差と像面湾曲は、眼鏡レンズを通して眼に入力される光線の見え方の質を劣化させる要因である。あるレンズを設計した場合に非点収差と像面湾曲はトレードオフの関係であるため、従来設計では眼優位性を考慮しなければ非点収差と像面湾曲のどちらを重視して設計するか、つまり非点収差と像面湾曲のどちらのぼけ具合をよしとするかというだけである。しかし、同じ量の劣化要因（すなわち同量の収差）であっても、優位眼、非優位眼という眼優位性の特性を考慮して適切に情報を入力することで、従来設計よりも良好な見え具合になることが期待できるというのがこの発明の趣旨である。
両眼から入力された情報は脳の視覚野では統合されているため、両眼にそれぞれ入力された情報が、脳でどのような見え方になっているかを１つの情報として計測することができる。そこで、本発明者らは、優位眼と非優位眼のそれぞれ及び優位眼と非優位眼の両方に対して非点隔差（非点収差の２倍）と像面湾曲を負荷レンズにより負荷し、両眼負荷なしの場合を１００％として、それぞれの負荷条件でどの程度見え方が劣化するかの検討を行った。グラフ作成にあたっては統計的に十分な数となる被験者データを取得した。その結果を表１に示す。尚、実験おいては非点隔差（非点収差の２倍）を負荷しているが、収差の傾向としては非点隔差と非点収差とは同じであるため、下記の記述では非点収差として反映させている。
この検討は、両眼にそれぞれ別の負荷を与えたときの見え具合を評価するものであり、左右眼に別々の見え方となる情報を入力し、その結果を評価することから、視野闘争の実験になる。
【００１５】
【表１】
0006458262.tif 000004
【００１６】
この表１の結果、優位眼情報と非点収差及び像面湾曲の間には以下の関係があることを見出した。
（１）非点収差について
優位眼に負荷をかけた場合と両眼共に負荷をかけた場合は同程度に見え方が悪くなり、一方それらに比べて非優位眼に負荷をかけた場合では見え方はそれほど悪くならない。
つまり、非点収差による網膜像の劣化は、優位眼負荷が支配的であり、両眼での見え方は優位眼の見え方に影響されると考察できる。
（２）像面湾曲について
両眼共に負荷をかけた場合は見え方が悪くなり、一方それに比べてそれぞれ優位眼に負荷をかけた場合と非優位眼に負荷をかけた場合では見え方はそれほど悪くならない。
つまり、像面湾曲による網膜像の劣化は、両眼が悪化すると、著しく悪くなる。そして優位眼負荷と非優位眼負荷では大きな差はないと考察できる。
これらの考察から設計を考えると、以下の条件Ａ、条件Ｂが重要になる。
＜条件Ａ＞
非点収差を優位眼で少なくするとよい。優位眼支配的であることから、非優位眼では非点収差は優位眼よりも多少大きくなってもよい。
＜条件Ｂ＞
像面湾曲は、両眼ともに悪いのはよくない。すなわち、両眼ともに非点収差を改善した設計は良くない。従って、像面湾曲は左右いずれか一方のレンズがいずれか他方よりも悪くなるように（あるいは良くなるように）設計することがよい。
また、上記数１はこのような条件Ａと条件Ｂをマイナス度数のレンズとプラス度数のレンズに対してより具体的に適用した場合に導かれる法則である。この上記数１を満たすように設計することで、実用上無理のない光学性能で本発明を適用することができる。
【００１７】
非球面要素の設計データはより具体的には、例えばベースとなる球面設計に対してサグ量を付加し、付加したサグ量を微小変化させたときの光学性能の微小変化を光線追跡等を用いて解析し、好ましいサグ量を計算することにより算出する。レンズは例えば次のような工程で製造される。
（Ａ）第１の工程（レンズ装用データの取得工程）
例えばインターネット、専用回線、電話、ＦＡＸなどの眼鏡店とレンズメーカーを繋ぐ通信手段を用いて、眼鏡店から、眼鏡装用者の処方度数（Ｓ度数、Ｃ度数、累進屈折力レンズであれば加入度）、レンズ素材の屈折率、レンズカーブ、レンズ中心厚・レンズコバ厚などの厚み指定項目、レンズ径、瞳孔間距離、頂間距離、近用内寄せ量、遠方物点距離、近用物点距離、累進屈折力レンズにおける累進帯長、フレームの前傾角、フレームのあおり角、フレームの玉型情報、レンズ下方の光線通過点（または下方回旋角度）の指定などの装用データを製造者（レンズメーカー）が受け取る工程である。この時、眼鏡店からは最低、眼鏡装用者の処方度数のみ受け取ることが必要であり、不足するデータは予めレンズメーカー側で用意した規格値を用いる。
（Ｂ）第２の工程（基本レンズ情報の選定と設計工程）
第１の工程で取得した処方度数、レンズ素材の屈折率、レンズ中心厚・レンズコバ厚などの厚み指定項目、レンズカーブ、レンズ径、フレームの前傾角、フレームのあおり角、フレームの玉型形状等をもとに、製作レンズの表面カーブ形状と裏面カーブ形状、中心厚、レンズ径、プリズム量、プリズムの基底方向を決定する工程である。この工程で表面カーブ形状と裏面カーブ形状の少なくとも一方の球面設計に対してサグ量を付加するような計算をコンピュータによって行って非球面要素の設計を行う。この設計は公知技術で可能であり、例えば、非球面レンズの非球面要素の設計については特開２００８−２９９１６８号公報、累進屈折力レンズの非球面要素の設計については特開２００９−２４４６００号公報に開示されている。
（Ｃ）第３の工程（レンズ加工工程）
上記の設計工程で得られた設計データに基づいてコンピュータからの出力を受けて（あるいはコンピュータと一体化した）加工装置としてのＣＡＭ装置によってセミフィニッシュトブランクのようなレンズ素材に対する加工を行う。
【発明の効果】
【００１８】
本願各請求項の発明では、優位眼を考慮することで非点収差と像面湾曲のバランスの取れた両眼で目視した際に好適な視界を得ることができる眼鏡用レンズを提供することが可能となる。
【図面の簡単な説明】
【００１９】
【図１】実施例６において非球面要素と合成される累進面要素の収差分布図。
【図２】実施例６において非球面のベース設計に累進面を合成して得られた累進面を含むベース設計のレンズ縁厚を説明する図。
【図３】実施例６において図２をベース設計として本発明を適用した後のレンズ縁厚を説明する図。
【発明を実施するための形態】
【００２０】
以下、本発明の具体的な実施例をグラフに基づいて説明する。
（実施例１）
＜レンズ発注工程＞
実施例１は、眼鏡店にレンズ購入者が来店し、このレンズ購入者のレンズ度数が計測の結果、右目がＳ−４．００Ｄ、左目がＳ−５．００Ｄ、ホールインカードテストでの優位眼判定が右目であった場合とする。眼鏡店から電話またはインターネット等のネット環境を通じて、レンズメーカーにレンズ度数（右目Ｓ−４．００Ｄ、左目Ｓ−５．００Ｄ）、優位眼情報（右目）、レンズ購入者により選定されたレンズ設計（例えば、屈折率１．７０素材の内面非球面レンズ）が伝えられる。
＜ベース設計の設計工程＞
次に、レンズメーカーでは、受注されたレンズの種類と度数により、セミフィニッシュレンズ（表面のみ目的形状に成形された厚いレンズ）の表カーブが１．０カーブと選定され、規格値として登録されている中心厚とレンズ径の数値より中心厚１ｍｍ、レンズ径７５ｍｍと指定される。そして、それら指定された前提条件を用いて、優位眼情報を考慮して設計するためのベース設計のレンズ形状を計算する。実施例１では、表２のように優位眼を考慮していない設計が、レンズ全面で非点収差を改善したベース設計である場合とする。表２はベース設計の左右の非球面レンズにおけるレンズ幾何中心からレンズ縁方向における非点隔差（非点収差の２倍）と像面湾曲の変化特性を示すグラフであり、縦軸がレンズ中心からの距離（単位：ｍｍ）、横軸が収差（単位：ディオプター）である。実線が非点隔差、破線が像面湾曲を示している。グラフはレンズ面の設計データに基づいてコンピュータによって計算された結果として作図されている。つまり、ベース設計においてはその設計データを修正後においては非球面要素を与えた後の設計データに基づいている（以下のすべてのグラフも同様に作成）。
このベース設計のレンズ形状は以下の通りである。
・レンズ直径：７５ｍｍ
・レンズ素材屈折率：１．７０
・右目Ｓ度数：  Ｓ−４．００Ｄ
・左目Ｓ度数：  Ｓ−５．００Ｄ
・レンズ中心厚（右目）：  １．０ｍｍ
・レンズ中心厚（左目）：  １．０ｍｍ
・レンズコバ厚（右目）：  ４．３３ｍｍ
・レンズコバ厚（左目）：  ５．２７ｍｍ
【００２１】
＜優位眼を考慮した設計の設計工程＞
本実施例１のベース設計は、非点収差を全面０にした設計としている。レンズ周辺部にプラスの像面湾曲が発生し、その収差量はレンズ周辺で大きくなる特性になっている。このようなベース設計に対し、本発明を適用し受注情報の優位眼の情報（優位眼：右目）を設計に反映させる。その結果を表３に示す。表３では、非優位眼である左目用のレンズについて、非点収差を悪化させ（レンズ周辺部にかけて徐々にマイナス度数になるように形状を変化させている）、像面湾曲を改善（収差を軽減）させている。つまり、相対的に優位眼である右目の非点収差が少ない設計になっており、像面湾曲も左右眼で異なっていることより、上記数１の（３）、（４）を満たしている。また、上記数１について、優位眼の像面湾曲の変化量＝Ａ−Ｂ＝０であるが、非優位眼の像面湾曲の変化量＝Ｃ−Ｄ＞０となるため、Ａ−Ｂ＜Ｃ−Ｄとなり上記数１（１）を満たしている。以上より、この表３のようにベース設計を修正したレンズは両眼で目視した際に表２の特性のベース設計のレンズを装用した場合に比べて優位眼の情報を設計に反映することで好適な視界を得ることができる。
この本発明適用後レンズの中心厚、コバ厚は以下の通りである。左目で像面湾曲を改善したため、非球面サグ量が減少し、レンズコバ厚が厚くなっている。
・レンズ中心厚（右目）：  １．０ｍｍ
・レンズ中心厚（左目）：  １．０ｍｍ
・レンズコバ厚（右目）：  ４．３３ｍｍ
・レンズコバ厚（左目）：  ５．３４ｍｍ（ベース設計では５．２７ｍｍ）
尚、実施例１において優位眼が左目であった場合に本発明を適用するときには、右目のレンズについて非点収差を悪化させ、像面湾曲を改善させる。その場合にも、上記数１の（１）、（３）、（４）は満たされる。
【００２２】
【表２】
0006458262.tif 000005
【００２３】
【表３】
0006458262.tif 000006
【００２４】
（実施例２）
実施例２は、左右共にＳ−４．００Ｄ、優位眼が右目の事例である。実施例１と同様にレンズメーカーにレンズ注文情報が伝えられたあとの、レンズメーカーにおける設計工程について記載する。
＜ベース設計の設計工程＞
レンズメーカーにおいて、受注されたレンズの種類と度数により、セミフィニッシュレンズ（表面のみ目的形状に成形された厚いレンズ）の表カーブが１．０カーブと選定され、規格値として登録されている数値より中心厚１ｍｍ、レンズ径７５ｍｍと指定される。そして、それら指定された前提条件を用いて、優位眼情報を考慮して設計するためのベース設計のレンズ形状を計算する。実施例２では、表４のように優位眼を考慮していない設計が、レンズ全面で像面湾曲を改善したベース設計の場合である。
このベース設計のレンズ形状は以下の通りである。
・レンズ直径：７５ｍｍ
・レンズ素材屈折率：１．７０
・右目Ｓ度数：  Ｓ−４．００Ｄ
・左目Ｓ度数：  Ｓ−４．００Ｄ
・レンズ中心厚（右目）：  １．０ｍｍ
・レンズ中心厚（左目）：  １．０ｍｍ
・レンズコバ厚（右目）：  ４．６３ｍｍ
・レンズコバ厚（左目）：  ４．６３ｍｍ
【００２５】
＜優位眼を考慮した設計の設計工程＞
本実施例２のベース設計は、像面湾曲を全面０にした設計としている。その結果、レンズ周辺部にマイナスの非点収差が発生し、その収差量はレンズ周辺で大きくなる特性になっている。このようなベース設計に対し、本発明を適用し受注情報の優位眼の情報（優位眼：右目）を設計に反映する。その結果を表５に示す。表５では、非優位眼である左目用のレンズについて、優位眼である右目用のレンズのみについて非点収差を改善させ（マイナス側からプラス側にシフト）、それに伴って像面湾曲を悪化させた。つまり、相対的に優位眼である右目の非点収差が少なく、左右レンズの像面湾曲は同じではない設計である。ここで、優位眼の像面湾曲の変化量＝Ａ−Ｂ＜０であり、非優位眼の像面湾曲の変化量＝Ｃ−Ｄ＝０になっていることより、Ａ−Ｂ＜Ｃ−Ｄとなり、上記数１の（１）を満たしている。また、相対的に優位眼である右目の非点収差が非優位眼の非点収差よりも少ない設計になっており、像面湾曲も左右眼で異なっていることより、上記数１の（３）、（４）も満たしている。よって、実施例２では、上記数１の式（１）（３）（４）を満たしている。この表５のようにベース設計を修正したレンズは両眼で目視した際に表４の特性のベース設計のレンズを装用した場合に比べて好適な視界を得ることができる。
【００２６】
【表４】
0006458262.tif 000007
【００２７】
【表５】
0006458262.tif 000008
【００２８】
（実施例３）
実施例３は実施例２においてベース設計を変えたバリエーションである。実施例３におけるベース設計の左右の非球面レンズの非点収差と像面湾曲の変化特性を表６のグラフに示す。本実施例３のベース設計では非点収差と像面湾曲のどちらかに偏らずに両者ともに収差を配分したバランスのよい設計とした。そして、実施例３のレンズがマイナスレンズであることからレンズ周縁に向かって非点収差はマイナス側に増加し、像面湾曲はプラス側に増加する特性となっている。
このようなベース設計を実施例２の表５の特性となるように収差特性を変更した。実施例３では非優位眼である左目用のレンズのみについて非点収差を悪化させ、それに伴って像面湾曲を改善させた。つまり、相対的に優位眼である右目の非点収差が少なく、左右レンズの像面湾曲は同じではない設計である。
これは上記数１の式（１）（３）（４）を満たしている。この表５のようにベース設計を修正したレンズは両眼で目視した際に表６の特性のベース設計のレンズを装用した場合に比べて好適な視界を得ることができる。
【００２９】
【表６】
0006458262.tif 000009
【００３０】
（実施例４）
実施例４では、プラス度数に本発明を適用する。左右共にＳ＋５．００Ｄ、優位眼が右目の事例とする。実施例１と同様にレンズメーカーにレンズ注文情報が伝えられたあとの、レンズメーカーにおける設計工程について記載する。
＜ベース設計の設計工程＞
レンズメーカーにおいて、受注されたレンズの種類と度数により、セミフィニッシュレンズ（表面のみ目的形状に成形された厚いレンズ）の表カーブが５．０カーブと選定する。規格値として登録された数値より最少レンズコバ厚１．０ｍｍ、レンズ径を７０ｍｍと指定される。そして、それら指定された前提条件を用いて、優位眼情報を考慮して設計するためのベース設計のレンズ形状を計算する。実施例４では、表７のように優位眼を考慮していない設計が、レンズ全面で非点収差を改善したベース設計である場合である。  
このベース設計のレンズ形状は以下の通りである。
・レンズ直径：７０ｍｍ
・レンズ素材屈折率：１．７０
・右目Ｓ度数：  Ｓ＋５．００Ｄ
・左目Ｓ度数：  Ｓ＋５．００Ｄ
・レンズ中心厚（右目）：  ４．７９ｍｍ
・レンズ中心厚（左目）：  ４．７９ｍｍ
・レンズコバ厚（右目）：  １．０ｍｍ
・レンズコバ厚（左目）：  １．０ｍｍ
【００３１】
＜優位眼を考慮した設計の設計工程＞
実施例４におけるベース設計の左右の非球面レンズの非点収差と像面湾曲の変化特性を表７のグラフに示す。本実施例４のベース設計では非点収差を重視した（非点収差がない）設計とした。そして、実施例４のレンズがプラスレンズであることからレンズ周縁に向かって像面湾曲はマイナス側に増加する特性となっている。
このようなベース設計に本発明を適用して収差特性を変更した結果を表７と同様にグラフとして表８に示す。表８では非優位眼である左目用のレンズについて非点収差を悪化させ（プラスの非点収差となるようにレンズ周辺部を調整）、それに伴って像面湾曲を改善させた（収差を軽減した）。つまり、相対的に優位眼である右目の非点収差が少なく、左右レンズの像面湾曲は同じではない設計であるため上記数１の（３）、（４）を満たしている。上記数１について、優位眼の像面湾曲の変化量＝Ａ−Ｂ＝０であり、非優位眼の像面湾曲の変化量＝Ｃ−Ｄ＜０となるため、Ａ−Ｂ＞Ｃ−Ｄとなり上記数１（２）を満たしている。すなわち、実施例４では上記数１の式（２）（３）（４）を満たしている。この表８のようにベース設計を修正したレンズは両眼で目視した際に表７の特性のベース設計のレンズを装用した場合に比べて好適な視界を得ることができる。
【００３２】
【表７】
0006458262.tif 000010
【００３３】
【表８】
0006458262.tif 000011
【００３４】
（実施例５）
実施例５は、実施例４と同じ度数、同じ優位眼で、ベース設計が実施例４と異なる事例である。実施例１と同様にレンズメーカーにレンズ注文情報が伝えられたあとの、レンズメーカーにおける設計工程について記載する。
＜ベース設計の設計工程＞
実施例４と同様にレンズメーカーにおいて、受注されたレンズの種類と度数により、セミフィニッシュレンズ（表面のみ目的形状に成形された厚いレンズ）の表カーブが５．０カーブと選定される。規格値として登録されている数値より最少レンズコバ厚１．０ｍｍ、レンズ径を７０ｍｍと指定される。そして、それら指定された前提条件を用いて、優位眼情報を考慮して設計するためのベース設計のレンズ形状を計算する。実施例５では、表９のように優位眼を考慮していない設計が、レンズ全面で像面湾曲を改善したベース設計である場合である。実施例５のレンズがプラスレンズであることからレンズ周縁に向かって非点収差はプラス側に増加する特性となっている。
このベース設計のレンズ形状は以下の通りである。
・レンズ直径：７０ｍｍ
・レンズ素材屈折率：１．７０
・右目Ｓ度数：  Ｓ＋５．００Ｄ
・左目Ｓ度数：  Ｓ＋５．００Ｄ
・レンズ中心厚（右目）：  ５．０９ｍｍ
・レンズ中心厚（左目）：  ５．０９ｍｍ
・レンズコバ厚（右目）：  １．０ｍｍ
・レンズコバ厚（左目）：  １．０ｍｍ
【００３５】
＜優位眼を考慮した設計の設計工程＞
このようなベース設計に本発明を適用して収差特性を変更した結果を表９と同様にグラフとして表１０に示す。表１０では優位眼である右目用のレンズのみについて像面湾曲を悪化させ（マイナスの像面湾曲を付加）、それに伴って非点収差を改善させた。つまり、相対的に優位眼である右目の非点収差が少なく、左右レンズの像面湾曲は同じではない設計である。これは上記数１の式（２）（３）（４）を満たしている。この表１０のようにベース設計を修正したレンズは両眼で目視した際に表９の特性のベース設計のレンズを装用した場合に比べて好適な視界を得ることができる。
【００３６】
【表９】
0006458262.tif 000012
【００３７】
【表１０】
0006458262.tif 000013
【００３８】
（実施例６）
実施例６は非球面要素と累進面要素の合成よりなる累進屈折力レンズの事例である。左右共にＳ−４．００Ｄ、加入度２．００Ｄ、優位眼が右目である場合とする。非球面要素の設計方法は、実施例１〜５に示した内容をそのまま適用できるが、ここでは、実施例２の非球面要素をもとに累進屈折力レンズを設計する例とする。
＜ベース設計の設計工程＞
まず、実施例２のように、受注されたレンズの種類と度数により、セミフィニッシュレンズ（表面のみ目的形状に成形された厚いレンズ）の表カーブが１．０カーブと選定され、規格値として登録された数値より中心厚１ｍｍ、レンズ径７５ｍｍと指定される。実施例２の表４のように、非球面要素が設計され、非球面のベース設計となる。この非球面のベース設計に、図１で示した累進面を合成する。合成した結果、図２のレンズ厚さとなる。
【００３９】
＜優位眼を考慮した設計の設計工程＞
実施例２と同様に、非球面要素について設計を行い、優位眼である右目用のレンズのみについて非点収差を改善させ（マイナス側からプラス側にシフト）、それに伴って像面湾曲を悪化させる。その結果として非球面要素のみの光学性能は表５のようになる。この非球面要素に図１の累進面を合成した結果、レンズの厚さは図３のようになる。この時、ベース設計と優位眼を考慮した設計の光学性能の差は、実施例２と同様になるため、実施例６のように累進屈折力レンズでも上記数１の（１）、（３）、（４）を満たしている。図３のようにベース設計を修正したレンズは両眼で目視した際に図２の特性のベース設計のレンズを装用した場合に比べて好適な視界を得ることができる。
【００４０】
尚、この発明は、次のように変更して具体化することも可能である。
・上記各実施例では優位眼か非優位眼のいずれか一方のレンズのみをベース設計に対して修正するようにしていたが、両方のレンズを修正するようにしてもよい。
・非球面要素の設計データは、回転対称形状に限定されず、例えば、上下非対称や左右非対称であっても本発明に含まれる。その際に、例えば上下非対称非球面であれば、上方向または下方向の少なくても１方向の光学性能について本発明を適用する。
・非球面要素は、片面に付加されていることに限定されず、両面に付加する場合であっても本発明の適用に含まれる。
・累進面要素は、片面に付加されていることに限定されず、両面に付加する場合であっても本発明の適用に含まれる。
・上記実施例１では、優位眼の判定はホールインカードテストを用いた事例となっているが、優位眼情報の取得方法により本発明の適用が制限されることはない。例えば、視野闘争等を用いて決定された優位眼情報を本発明に適用することも含まれる。
・本発明には、優位眼の情報として眼優位性の強弱を設計に反映させる場合も含まれる。その場合、ベース設計と優位眼を考慮した設計との差分となる設計修正量を眼優位性の強弱に依存させる。例えば、眼優位性は５：５で等しくなるため、８：２で右目の人に対する設計修正量は６：４で左目の人の設計修正量に比べて３倍の量とすることが好ましい。
・その他、本発明の趣旨を逸脱しない態様で実施することは自由である。
【図１】
0006458262.tif 000015
【図２】
0006458262.tif 000016
【図３】
0006458262.tif 000017